(57)【特許請求の範囲】
【請求項１】
壁面に取り付けられる薄型壁面筆記用ボードにおいて、
裏面を前記壁面に取り付け、表面が筆記されるように形成されたボード部であって、当該裏面を有する第１層ボードと、当該第１層ボードに積層される第２層ボードと、当該第２層ボードに積層され当該表面を有する第３層ボードとからなり、当該第１層ボード、第２層ボード、および第３層ボードのそれぞれが予め定められた厚さで形成されているボード部と、
前記ボード部の外周表面を覆う枠部であって、前記壁面と接着される枠接着部と、前記第３層ボードの表面と接触される枠接触部とを有する枠部と
を備え、
前記第３層ボードは、前記第２層ボードの接触面と摺接され、かつ、前記枠接触部の接触面と摺接されているとともに、
当該第３層ボードは、複数のボード単体からなり、各ボード単体間に予め設定された値の間隔を設けて前記第２層ボードに貼り付けられていることを特徴とする薄型壁面筆記用ボード。
【請求項２】
前記第１層ボードは、予め定められた厚さが４ｍｍのベニヤで形成され、前記壁面に取り付けられる下地ベニヤであり、
前記第２層ボードは、予め定められた厚さが０．５ｍｍ又は０．８ｍｍの磁気特性を有する素材を含み形成され、前記下地ベニヤに両面接着テープで接着されるマグネットシートであり、
前記第３層ボードは、予め定められた厚さが０．４ｍｍの磁性体を含む素材で形成され、前記マグネットシートに磁力で貼り付けられるホワイトボードであり、
前記枠接着部がネジを用いて前記壁面に接着されるとともに、前記枠接触部が前記ホワイトボードの表面に押し付けられるように接触し、
前記マグネットシートの接触面および前記枠接触部の接触面と摺接されている前記ホワイトボードは、外気の温度変化による熱膨張又は熱収縮に応じた熱膨張力又は熱収縮力により、当該マグネットシートの接触面および当該枠接触部の接触面と摺動されることを特徴とする請求項１に記載の薄型壁面筆記用ボード。
【請求項３】
前記枠接着部を覆うように形成された枠カバー部を備えることを特徴とする請求項１又は請求項２に記載の薄型壁面筆記用ボード。
【請求項４】
前記ボード部のコーナーに設けられ、外周が湾曲に形成された枠コーナー部であって、各コーナーに位置する２つの枠部の端部を覆って前記壁面に接着される枠コーナー部を備えることを特徴とする請求項１又は請求項２に記載の薄型壁面筆記用ボード。
【請求項５】
前記第３層ボードは、磁性体を含む素材で形成された黒板であることを特徴とする請求項１に記載の薄型壁面筆記用ボード。
【発明の詳細な説明】
【技術分野】
【０００１】
本発明は、薄型壁面筆記用ボードに関し、特に、薄型壁面ホワイトボードおよび薄型壁面黒板に関するものである。
【背景技術】
【０００２】
従来、会議室、事務室などにおいて、デッドスペースである壁などの有効利用のために、ホワイトボード、黒板などの筆記具としての機能を有する筆記用ボードを用いた薄型壁面筆記用ボードが、壁に取り付けられて使用されている。この薄型壁面筆記用ボードは、具体的な例として、薄型壁面ホワイトボードおよび薄型壁面黒板があり、この薄型壁面ホワイトボードの従来の例について、図６、図７を用いて説明する。
【０００３】
図６に示すように、従来の薄型壁面ホワイトボードは、ボード部１００と枠部２００と枠カバー部３００と枠コーナー部４００とを有し、壁面２に取り付けられる。枠部２００は、ボード部１００の外周を覆うように取り付けられ、このボード部１００は枠カバー部３００で覆われている。また、枠コーナー部４００は、ボード部１００のコーナー部分に取り付けられており、角を有するような形状である。
【０００４】
図７に示すように、ボード部１００は、下地ベニヤ１００ａとマグネットシート１００ｂとホワイトボード１００ｃとから構成されている。下地ベニヤ１００ａは、ベニヤで形成された板状のものであり、壁面２に取り付けられる。マグネットシート１００ｂは、磁性を有する素材で形成されたシートであり、両面接着テープなどを用いて下地ベニヤ１００ａに貼り付けられる。ホワイトボード１００ｃは、鉄粉を含む素材で形成され、ホワイトボードマーカーで筆記することができるホワイトボードである。
【０００５】
枠部２００には、ボード部１００の縁部分を覆う枠縁部２１０と、ホワイトボード１００ｃと接着する枠接着部２２０とが設けられている。この枠接着部２２０には、ネジ５０をねじ込むための開口部２２０ａとネジ孔部２２０ｂとが設けられている。
【０００６】
ネジ５０は、下穴を必要としないドリルネジなどであり、開口部２２０ａに挿入され、ネジ孔部２２０ｂからねじ込まれる。そして、ネジ５０は、ホワイトボード１００ｃ、マグネットシート１００ｂ、下地ベニヤ１００ａ、壁面２の順にねじ込まれる。このようにねじ込まれたネジ５０により、枠部２００とボード部１００と壁面２、すなわち、枠接着部２２０と下地ベニヤ１００ａとマグネットシート１００ｂとホワイトボード１００ｃと壁面２とが強固に固着されることになる。
【０００７】
特許文献１には、ホワイトボードなどボードの外周縁を覆うようにして、このボードを壁面に固定させるボードの取り付け構造に関する技術が開示されている。この取り付け構造は、壁面に取り付けられるベース枠材とこのベース枠材に被着されボードの外周縁を覆いかつ弾発的に押圧するカバー枠材から構成されている。すなわち、このベース枠材では、細長底板の上面にその長手方向に沿って一対の突条が設けられ、この突条の先端に係止爪が設けられている。一方、カバー枠材はベース枠材に被着されるカバー片部の一側にボードの外周縁を覆うようにして押圧するボード抑え片部が設けられている。このボード抑え片部の内側に、ベース枠材の係止爪と係合するように形成された係合爪が、設けられている。
【０００８】
また、特許文献２には、壁面固定式の大型黒板などのハイブリッドボードにおいて、四辺枠を木製で接合する技術が開示されている。すなわち、４辺枠の各コーナーの接合において、一般的な木材接合方法によって直接に接合を行うのではなく、コーナー接合部材を介して４辺枠の各コーナーの接合を行う。このコーナーの接合は、接合部の直角部分において、直角形状又は湾曲形状のものを用いている。
【先行技術文献】
【特許文献】
【０００９】
【特許文献１】特開２０００−２０３１９５号公報
【特許文献２】特開２００９−２９７９１９号公報
【発明の概要】
【発明が解決しようとする課題】
【００１０】
しかしながら、従来の薄型壁面筆記用ボード、例えば、薄型壁面ホワイトボードは、図７に示すとおり、枠部２００を貫通したネジ５０が、ボード部１００の各構成、ホワイトボード１００ｃとマグネットシート１００ｂと下地ベニヤ１００ａと、に順にねじ込まれ、そして、壁面２にねじ込まれている。
【００１１】
このように、従来の薄型壁面筆記用ボードは、ネジ５０を用いて、ボード部１００の各層が外周縁において壁面２と強固に固着されている構成であり、温度の変化など、外部環境の変化によって膨張又は収縮が発生した場合に、各層の膨張率が異なることに起因して、外周縁を強固に固定されたホワイトボード１００ｃの表面が盛り上がり、しわ、ふくらみ、突起などが発生するという問題があった。また、枠のコーナーは尖がっており、両面テープで接着しているという構成であり、接着力が弱く、自然落下、経年変化などでの脱落が生じていた。
【００１２】
特許文献１に記載のボードの取り付け構造は、上述のとおり、壁面に取り付けられるベース枠材とこのベース枠材に被着されたカバー枠材がボードの外周縁を覆う構造である。この構造は、カバー枠材がボードを強く押さえつけるというものであり、ボードの温度変化による膨張や収縮によるボードの盛り上がりを防止できるような構造ではない。また、特許文献２に記載の枠のコーナーでは、このコーナー部材が４辺枠に嵌め込まれるような構成であり、現場の取付作業において予め取り付けられている２つの枠材の端部にコーナー部材を同時に嵌め込む作業には、手間を要するとともに、堅固に固定されていないコーナー部材は外れる虞もあった。
【００１３】
本発明は、上述の従来技術の問題点を解決するために提案されたものである。すなわち、本発明は、外気の温度変化などに起因した表面の膨張又は収縮によって起こりうる、しわ、ふくらみ、突起などの発生を防止することができる薄型壁面筆記用ボードの提供、および、枠コーナー部の取り付けが容易でかつ耐久性と安全性が確保されている薄型壁面筆記用ボードの提供を目的とする。
【課題を解決するための手段】
【００１４】
上述の解決課題に鑑みて鋭意研究の結果、本発明者は、薄型壁面筆記用ボード、特に、薄型壁面ホワイトボードおよび薄型壁面黒板において、枠部の取り付けが、壁面に対して直接に行なわれるような構成とすることで、課題を解決することに想到した。
【００１５】
すなわち、第１の発明では、壁面に取り付けられる薄型壁面筆記用ボードにおいて、裏面が前記壁面に取り付けられ、表面が筆記されるように形成されたボード部であって、当該裏面を有する第１層ボードと、当該第１層ボードに積層される第２層ボードと、当該第２層ボードに積層され当該表面を有する第３層ボードとからなり、当該第１層ボード、第２層ボード、および第３層ボードのそれぞれが予め定められた厚さで形成されているボード部と、前記ボード部の外周表面を覆う枠部であって、前記壁面と接着される枠接着部と、前記第３層ボードの表面と接触される枠接触部とを有する枠部とを備え、前記第３層ボードは、前記第２層ボードの接触面と摺接され、かつ、前記枠接触部の接触面と摺接されることを特徴とする薄型壁面筆記用ボードを提供するものである。
【００１６】
また、本発明は、以下の態様も包含される。第２の発明では、前記第１層ボードは、予め定められた厚さが４ｍｍのベニヤで形成され、前記壁面に取り付けられる下地ベニヤであり、前記第２層ボードは、予め定められた厚さが０．５ｍｍ又は０．８ｍｍの磁気特性を有する素材を含み形成され、前記下地ベニヤに両面接着テープで接着されるマグネットシートであり、前記第３層ボードは、予め定められた厚さが０．４ｍｍの磁性体を含む素材で形成され、前記マグネットシートに磁力で貼り付けられるホワイトボードであり、前記枠接着部がネジを用いて前記壁面に接着されるとともに、前記枠接触部が前記ホワイトボードの表面に押し付けられるように接触し、前記マグネットシートの接触面および前記枠接触部の接触面と摺接されている前記ホワイトボードは、外気の温度変化による熱膨張又は熱収縮に応じた熱膨張力又は熱収縮力により、当該マグネットシートの接触面および当該枠接触部の接触面と摺動されることを特徴とする薄型壁面筆記用ボードを提供するものである。このように構成することで、本発明の薄型壁面筆記用ボードは、筆記部分をホワイトボードとすることができ、いわゆる超薄型壁面ホワイトボードとして用いることが可能となる。
【００１７】
第３の発明では、前記枠接着部を覆うように形成された枠カバー部を備えることを特徴とする薄型壁面筆記用ボードを提供するものである。このように構成することで、本発明の薄型壁面筆記用ボードは、枠部を覆うことができ、安全性の向上が可能となり、また、枠部においてねじ込まれているネジの頭部を、外部から視認できないようにすることができ、美観性の向上が可能となる。
【００１８】
第４の発明では、前記ボード部のコーナーに設けられ、外周が湾曲に形成された枠コーナー部であって、各コーナーに位置する２つの枠部の端部を覆って前記壁面に接着される枠コーナー部を備えることを特徴とする薄型壁面筆記用ボードを提供するものである。このように構成することで、本発明の薄型壁面筆記用ボードは、使用者とのぶつかりなどで生じる危険性から防止することができ、安全性、耐久性、美観性の維持、向上が可能となる。
【００１９】
第５の発明では、前記ホワイトボードは、一又は複数のホワイトボード単体からなり、当該ホワイトボードが当該複数のホワイトボード単体から構成される場合、前記マグネットシートへの貼り付けは、それぞれのホワイトボード単体を、予め設定された値の間隔を設けて貼り付けることを特徴とする薄型壁面筆記用ボードを提供するものである。このように構成することで、本発明の薄型壁面筆記用ボードは、大きさにおいて物理的な限界があるホワイトボード単体を複数用いることができ、より大きな筆記部分を有する薄型壁面筆記用ボードの提供が可能となり、また、各ホワイトボード単体は、予め設定された値の間隔で貼り付けられており、各ホワイドボードの熱膨張による変形を防止することができる。
【００２０】
第６の発明では、前記第３層ボードは、磁性体を含む素材で形成された黒板であることを特徴とする薄型壁面筆記用ボードを提供するものである。このように構成することで、本発明の薄型壁面筆記用ボードは、筆記部分を黒板とすることができ、いわゆる超薄型壁面黒板として用いることが可能となる。
【発明の効果】
【００２１】
以上、説明したように、本発明の薄型壁面筆記用ボードによれば、ボード部の第３層ボードが壁面にネジ等で直接固定されることなく第２層ボードと摺接されており、また、枠部が、枠接着部と枠接触部とを有し、枠接着部が壁面に接着され固着され、枠接触部がボード部と摺接されていることより、地域、温度、湿度などの変化による膨張又は収縮のためにおこりうる第３層ボードの盛り上がりから生じる、しわ、ふくらみ、突起などの発生を防止できる。また、枠コーナー部は、外周が湾曲に形成され、また、２つの枠部の端部を上方から覆いつつ壁面に接着されるように形成されており、安全性、耐久性、作業容易性などの向上を図ることができる。
【図面の簡単な説明】
【００２２】
【図１】実施形態の薄型壁面ホワイトボードを示す正面図である。
【図２】実施形態の薄型壁面ホワイトボードを示す図１のＡ−Ａ線断面図である。
【図３】実施形態の枠部と枠カバー部を示す側面図である。
【図４】実施形態の枠部と枠カバー部を示す斜視図である。
【図５】実施形態の枠コーナー部を示す正面図と側面図である。
【図６】従来の薄型壁面ホワイトボードを示す正面図である。
【図７】従来の薄型壁面ホワイトボードを示す図６のＢ−Ｂ線断面図である。
【発明を実施するための形態】
【００２３】
以下、添付図面を参照しながら、本発明の薄型壁面筆記用ボードを実施するための最良の形態を詳細に説明する。図１〜図５は、本発明の実施の形態を例示する図であり、これらの図において、同一の符号を付した部分は同一物を表わし、基本的な構成および作用は同様であるものとする。なお、従来の薄型壁面筆記用ボードと共通する構成については、説明を省略する。
【００２４】
図１に示すように、本実施形態の薄型壁面筆記用ボードとしての薄型壁面ホワイトボード１は、ボード部１０と枠部２０と枠カバー部３０と枠コーナー部４０とを有し、裏面が、壁面２に取り付けられて壁としての用途を有するとともに、表面が、筆記用具としても使用される。
【００２５】
ボード部１０は、裏面が壁面２に取り付けられ、表面が筆記用具としても使用される。図２に示すように、ボード部１０は、３層構造であり、第１層ボードとしての下地ベニヤ１０ａと、第２層ボードとしてのマグネットシート１０ｂと、第３層ボードとしてのホワイトボード１０ｃとから構成されている。
【００２６】
下地ベニヤ１０ａは、予め設定された厚さとして、４ｍｍの厚さのベニヤで形成された板状のものであり、釘又はネジを用いて壁面２に固着するように取り付けられる。このとき、下地ベニヤ１０ａは、凸凹のでないよう、平滑性を有するように壁面２に取り付けられ、また、例えば、レーザー水準器などを用いて、壁面２の正確な位置に取り付けられる。
【００２７】
マグネットシート１０ｂは、予め設定された厚さとして、０．５ｍｍ又は０．８ｍｍの厚さの磁気を含む素材で形成されたシートであり、両面接着テープを用いて下地ベニヤ１０ａに貼り付けられる。このときも、マグネットシート１０ｂは、下地ベニヤ１０ａの取り付け時と同じように、凸凹のでないよう、平滑性を有するように壁面２に取り付けられる。
【００２８】
ホワイトボード１０ｃは、予め設定された厚さとして、０．４ｍｍの厚さの鉄粉を含む素材で形成され、ホワイトボードマーカーで筆記される表面を有する。ホワイトボード１０ｃは、上述のとおり鉄粉を含んでおり、マグネットシート１０ｂの磁力で引き付けられ、貼り付けられる。このような貼り付けは、ＭＣ（Maintenance Clean）工法といわれ、環境への配慮がされた工法である。なお、上述のボード部１０での各層の厚さは一例であり、これらの値に限定されず、例えば、これらの厚さは、薄型壁面ホワイトボード１の使用環境などにより最適な値にすると良い。
【００２９】
枠部２０は、アルミニウムなどで形成され、ボード部１０の外周を覆うように取り付けられる。図２に示すように、枠部２０は、壁面２と接着するように設けられた枠接着部２１と、ホワイトボード１０ｃの表面と接触するように設けられた枠接触部２２とを有する。
【００３０】
枠接着部２１には、ネジ５０が挿入されるための開口部２１ａと、このネジ５０が、ねじ込まれるネジ孔部２１ｂとが設けられている。すなわち、枠接着部２１は、ネジ５０がネジ孔部２１ｂを介して壁面２にねじ込まれることで、壁面２と接着される。そして、この接着と連動して枠接触部２２は、前記ホワイトボード１０ｃに押し付けられるように接触される。
【００３１】
枠カバー部３０は、図３に示すように、枠部２０を覆うように形成され、枠部２０に嵌め込まれる。図４は、枠カバー部３０が、枠部２０に嵌め込まれた状態を示している。このように、枠カバー部３０は、ネジ孔部２１ｂにネジ５０がねじ込まれている状態を、外部から視認できないように、開口部２１ａを覆うように形成されている。
【００３２】
枠コーナー部４０は、ボード部１０のコーナーに設けられ、外周が湾曲するように樹脂などで形成されている。また、枠コーナー部４０は、ボード部１０の各辺に設けられた枠部２０および枠カバー部３０を覆うように設けられている。枠コーナー部４０は、図５（Ａ）に示す正面図と、図５（Ｂ）に示す側面図のとおり、開口部４０ａと、この開口部４０ａの底部に設けられたネジ孔部４０ｂとを有する。枠コーナー部４０は、ネジ５０が開口部４０ａから挿入され、ネジ孔部４０ｂを介して壁面２にねじ込まれ、壁面２と接着されるように形成されている。また、図１に示すように、蓋部４１が、開口部４０ａを覆うことで、ネジ孔部４０ｂからねじ込まれたネジ５０が、外部から視認されないような構成となっている。
【００３３】
以上のような構成を有する本実施形態の薄型壁面ホワイトボード１は、次のような作用効果を有する。従来の薄型壁面ホワイトボードにおいては、例えば、外気の温度変化により熱膨張又は熱収縮が生じた場合、各層の熱膨張率又は熱収縮率との差異から接触面に軋みが生じ、表面の盛り上がりなどが生じる。しかし、本実施形態の薄型壁面ホワイトボード１では、ホワイトボード１０ｃにおいて膨張又は収縮が生じても、接触面の軋みはなく、表面の盛り上がりが発生することもなく、性能、美観などが正常な状態として維持され、使用されることができる。
【００３４】
すなわち、マグネットシート１０ｂと摺接されているホワイトボード１０ｃの接触面は、マグネットシート１０ｂの有する磁気による磁力で、接触状態が維持される。この維持された状態において、外気の温度変化で、ホワイトボード１０ｃに熱膨張又は熱収縮による熱膨張力又は熱収縮力が発生する。この熱膨張力又は熱収縮力により、ホワイトボード１０ｃは、マグネットシート１０ｂと摺動される。なお、摺接とはこすれるような状態で接触していることであり、摺動とは接触した状態でこするように動くことである。
【００３５】
また、枠接触部２２と摺接されているホワイトボード１０ｃの接触面は、枠接着部２１が壁面２にネジ５０を用いて接着されることに連動した枠接触部２２の押圧で、接触状態が維持される。この維持された状態において、外気の温度変化で、ホワイトボード１０ｃに熱膨張又は熱収縮による熱膨張力又は熱収縮力が発生する。ホワイトボード１０ｃは、この熱膨張力又は熱収縮力により、枠部２０と摺動される。
【００３６】
このように、薄型壁面ホワイトボード１は、外気の温度変化が生じた場合においても、ホワイトボード１０ｃがマグネットシート１０ｂと枠部２０とに挟まれているという構成にもかかわらず、このホワイトボード１０ｃがこれらと摺接されているということにより、各構成の熱膨張率の差異から生じる、しわ、ふくらみ、突起などを防止することができる。
【００３７】
なお、本実施形態では、外気の温度変化による熱膨張又は熱収縮によるホワイトボード１０ｃの変化に対応する構成であるが、この構成は、例えば、薄型壁面ホワイトボード１において、経年変化による膨張や収縮が生じる場合でも、この膨張や収縮による、しわ、ふくらみ、突起などの発生を防止することができる。
【００３８】
また、枠コーナー部４０は、外周が湾曲するように形成されており、四隅に位置する枠部２０の端部について位置調整したり、枠材２０の寸法を高精度にしたりすることなく、現場施工により設置された枠材２０の上方から覆いつつ、ネジ５０がネジ孔部４０ｂから壁面２にねじ込まれて、壁面２と接着されるように形成されている。本実施形態の薄型壁面ホワイトボード１は、このような構成の枠コーナー部４０を有することにより、枠コーナー部４０の取り付けが確実・容易となり、また使用者とのぶつかりなどで生じる危険性から防止することができ、安全性、耐久性、美観性の維持、向上などが可能となる。
【００３９】
以上、本発明について、具体的な実施の形態を示して説明したが、本発明はこれらに限定されるものではない。当業者であれば、本発明の要旨を逸脱しない範囲内において、上記実施形態における構成及び機能に様々な変更・改良を加えることが可能である。例えば、以下のような他の実施形態も含有する。
【００４０】
上述の実施形態では、薄型壁面ホワイトボードについての具体的な態様を説明したが、これに限定されない。例えば、薄型壁面ホワイトボードのホワイトボードを黒板として薄型壁面黒板としても良い。
【００４１】
ホワイトボード１０ｃには、鉄粉が含まれている構成であるが、これに限定されない。例えば、ホワイトボード１０ｃには、磁性体が含まれていれば良い。
【００４２】
上述の実施形態では、ホワイトボードは、ホワイトボード単体としているが、これに限定されない。例えば、このホワイトボード単体は、２以上の複数を用いる構成であっても良い。この場合においては、より大きな面積の薄型壁面ホワイトボード又は薄型壁面黒板を壁に設けることができる。また、この場合、ホワイトボード単体と、隣り合うホワイトボード単体とは、例えば、０．５ｍｍの間隔が生じるようにしてマグネットシートに接着させると良い。このようにすることにより、熱膨張などによる隣り合うホワイトボード単体への影響が軽減される。
【００４３】
上述の実施形態では、下地ベニヤは、釘、ネジを用いて壁面２に取り付けられるがこれに限定されない。例えば、下地ベニヤ、マグネットシートおよびホワイトボードが積層されたボード部を、接着剤を用いて壁に取り付けても良い。
【００４４】
上述の実施形態では、下地ベニヤとマグネットシートは、両面接着テープを用いて接着されているが、これに限定されない。例えば、下地ベニヤとマグネットシートとは接着剤を用いて接着されても良い。
【００４５】
上述の実施形態では、枠部の固定のためにドリルネジを用いているが、これに限定されない。例えば、下穴を設けることで通常のネジを用いても良い。
【００４６】
枠コーナー部は、ネジを用いて壁面に固定されているが、これに限定されない。例えば、枠コーナー部は、枠部に嵌め込まれるような構成であっても良い。
【産業上の利用可能性】
【００４７】
本発明の薄型壁面筆記用ボードは、教育産業、一般企業などの教室、会議室、事務室などの壁面に設けることができ、壁としての用途とともに、筆記用具として広範囲に利用することができるものである。
【符号の説明】
【００４８】
１…薄型壁面ホワイトボード
２…壁面
１０…ボード部
１０ａ…下地ベニヤ
１０ｂ…マグネットシート
１０ｃ…ホワイトボード
２０…枠部
２１…枠接着部
２１ａ…開口部
２１ｂ…ネジ孔部
２２…枠接触部
３０…枠カバー部
４０…枠コーナー部
４０ａ…開口部
４０ｂ…ネジ孔部
４１…蓋部
５０…ネジ
１００…ボード部
１００ａ…下地ベニヤ
１００ｂ…マグネットシート
１００ｃ…ホワイトボード
２００…枠部
２１０…枠縁部
２２０…枠接着部
２２０ａ…開口部
２２０ｂ…ネジ孔部
３００…枠カバー部
４００…枠コーナー部
【図１】
0005883620.tif 000002
【図２】
0005883620.tif 000003
【図３】
0005883620.tif 000004
【図４】
0005883620.tif 000005
【図５】
0005883620.tif 000006
【図６】
0005883620.tif 000007
【図７】
0005883620.tif 000008